(57)【要約】【課題】電力モニタ用の機器やガス流量モニタ用の機器などを設置することなく、簡単にエネルギーの使用量を把握する。【解決手段】燃焼シーケンス時間帯特定部２−３によって各燃焼シーケンスの時間帯を特定する。単位期間毎電力消費量算出部２−７によって、各燃焼シーケンスの時間帯と単位電力消費量（単位時間あたり電力の消費量の推定値）とに基づいて、燃焼装置２０の単位期間毎の電力の消費量を算出する。単位期間毎燃料消費量算出部２−８によって、各燃焼シーケンスの時間帯と単位燃料消費量（単位時間あたり燃料の消費量の推定値）とに基づいて、燃焼装置２０の単位期間毎の燃料の消費量を算出する。算出した単位期間毎の電力の消費量および燃料の消費量を監視装置２１の画面にグラフ化して表示する。【選択図】  図４
2019070469.tif 000002
【特許請求の範囲】
【請求項１】
少なくとも点火装置とバーナとを備えた燃焼装置と、前記燃焼装置の運転を予め定められた燃焼シーケンスに従って制御する燃焼制御装置とを備えた燃焼システムにおいて、
前記点火装置の作動状態を示す信号、前記バーナへの燃料の供給状態を示す信号、前記バーナへの空気の供給状態を示す信号、前記バーナの火炎の強さを示す火炎検出信号およびこの火炎検出信号の値から判断される火炎の有無を示す情報を少なくとも含む燃焼制御情報を所定の周期で収集するように構成された燃焼制御情報収集部と、
前記燃焼制御情報収集部によって収集された燃焼制御情報を時系列で蓄積する燃焼制御情報蓄積部と、
前記燃焼制御情報蓄積部に蓄積されている燃焼制御情報に基づいて前記燃焼装置の起動から停止に至るまでの各燃焼シーケンスの時間帯を特定するように構成された燃焼シーケンス時間帯特定部と、
前記各燃焼シーケンス毎に定められた単位時間当たりの電力の消費量の推定値を単位電力消費量として記憶する単位電力消費量記憶部と、
前記各燃焼シーケンス毎に定められた単位時間当たりの燃料の消費量の推定値を単位燃料消費量として記憶する単位燃料消費量記憶部と、
前記燃焼シーケンス時間帯特定部によって特定された前記各燃焼シーケンスの時間帯と前記単位電力消費量記憶部に記憶されている前記各燃焼シーケンスの単位電力消費量とに基づいて、前記燃焼装置の所定の単位期間毎の電力の消費量を算出するように構成された単位期間毎電力消費量算出部と、
前記燃焼シーケンス時間帯特定部によって特定された前記各燃焼シーケンスの時間帯と前記単位燃料消費量記憶部に記憶されている前記各燃焼シーケンスの単位燃料消費量とに基づいて、前記燃焼装置の所定の単位期間毎の燃料の消費量を算出するように構成された単位期間毎燃料消費量算出部と
を備えることを特徴とする燃焼システム。
【請求項２】
請求項１に記載された燃焼システムにおいて、
前記単位期間毎電力消費量算出部によって算出された前記単位期間毎の電力の消費量および前記単位期間毎燃料消費量算出部によって算出された前記単位期間毎の燃料の消費量を提示するように構成されたエネルギー使用量提示部
を備えることを特徴とする燃焼システム。
【請求項３】
請求項１に記載された燃焼システムにおいて、
前記単位期間毎電力消費量算出部によって算出された前記単位期間毎の電力の消費量をコストに換算するように構成された単位期間毎電力コスト換算部と、
前記単位期間毎燃料消費量算出部によって算出された前記単位期間毎の燃料の消費量をコストに換算するように構成された単位期間毎燃料コスト換算部と、
前記単位期間毎電力コスト換算部によって換算された前記単位期間毎の電力の消費量のコストおよび前記単位期間毎燃料コスト換算部によって換算された前記単位期間毎の燃料の消費量のコストを提示するように構成されたエネルギー使用量提示部と
を備えることを特徴とする燃焼システム。
【請求項４】
請求項１に記載された燃焼システムにおいて、
前記単位期間毎電力消費量算出部によって算出された前記単位期間毎の電力の消費量をコストに換算するように構成された単位期間毎電力コスト換算部と、
前記単位期間毎燃料消費量算出部によって算出された前記単位期間毎の燃料の消費量をコストに換算するように構成された単位期間毎燃料コスト換算部と、
前記単位期間毎電力コスト換算部によって換算された前記単位期間毎の電力の消費量のコストと前記単位期間毎燃料コスト換算部によって換算された前記単位期間毎の燃料の消費量のコストとを前記単位期間毎に合計して前記単位期間毎のエネルギーコストの合計値を算出するように構成された単位期間毎合計エネルギーコスト算出部と、
前記単位期間毎合計エネルギーコスト算出部によって算出された前記単位期間毎のエネルギーコストの合計値を提示するように構成されたエネルギー使用量提示部と
を備えることを特徴とする燃焼システム。
【請求項５】
請求項１に記載された燃焼システムにおいて、
前記単位期間毎電力消費量算出部によって算出された前記単位期間毎の電力の消費量をコストに換算するように構成された単位期間毎電力コスト換算部と、
前記単位期間毎燃料消費量算出部によって算出された前記単位期間毎の燃料の消費量をコストに換算するように構成された単位期間毎燃料コスト換算部と、
前記単位期間毎電力消費量算出部によって算出された前記単位期間毎の電力の消費量および前記単位期間毎燃料消費量算出部によって算出された前記単位期間毎の燃料の消費量を第１の監視項目とし、前記単位期間毎電力コスト換算部によって換算された前記単位期間毎の電力の消費量のコストおよび前記単位期間毎燃料コスト換算部によって換算された前記単位期間毎の燃料の消費量のコストを第２の監視項目とし、前記単位期間毎電力コスト換算部によって換算された前記単位期間毎の電力の消費量のコストと前記単位期間毎燃料コスト換算部によって換算された前記単位期間毎の燃料の消費量のコストとを前記単位期間毎に合計した前記単位期間毎のエネルギーコストの合計値を第３の監視項目とし、選択的に組み合わされた前記第１，第２および第３の監視項目を提示するように構成されたエネルギー使用量提示部と
を備えることを特徴とする燃焼システム。
【発明の詳細な説明】
【技術分野】
【０００１】
本発明は、燃焼装置内の燃焼を制御する燃焼制御装置を用いた燃焼システムに関する。
【背景技術】
【０００２】
従来より、この種の燃焼システムとして、点火装置とバーナとを備えた燃焼装置と、燃焼装置の運転を予め定められた燃焼シーケンスに従って制御する燃焼制御装置とを備えた燃焼システムが用いられている（例えば、特許文献１参照）。
【０００３】
この燃焼システムにおいて、燃焼装置の起動から停止に至るまでの動作順序は、燃焼シーケンスとして定められている。例えば、燃焼装置の起動から停止に至るまでの動作順序として「スタートチェック」、「プレパージ」、「点火待ち」、「パイロット点火」、「パイロットオンリー」、「メイン点火」、「メイン安定」、「定常燃焼」、「ポストパージ」、「停止」というように、各燃焼シーケンスが定められている。
【先行技術文献】
【特許文献】
【０００４】
【特許文献１】特開２０１１−２０８９２１号公報
【特許文献２】特開２０１７−１３８０１８号公報
【発明の概要】
【発明が解決しようとする課題】
【０００５】
例えば、電気ヒータを用いた熱処理のシステムでは、制御側での電力を把握することによってエネルギーの使用量を容易に知ることが可能である。しかし、バーナを用いた燃焼システムでは、電力計測器や燃料ガスの流量を計測するガス流量計測器を設置して、これらの計器で電力の消費量や燃料の消費量を計測するしかなく、電流×電圧＝電力というように制御する側で画一的にエネルギーの使用量を把握することができない。
【０００６】
すなわち、従来の燃焼システムにおいて、エネルギーの使用量を把握したい場合、電力モニタ用の機器やガス流量モニタ用の機器を設置しなければならず、高コストとなってしまう。
【０００７】
なお、特許文献２では、点火装置の作動状態を示す信号、バーナへの燃料の供給状態を示す信号、バーナへの空気の供給状態を示す信号、バーナの火炎の強さを示す火炎検出信号およびこの火炎検出信号の値から判断される火炎の有無を示す情報を少なくとも含む燃焼制御情報を所定の周期で収集・蓄積し、この燃焼制御情報を燃焼制御のトレンドデータとして燃焼装置の各燃焼シーケンスの時間帯との関係が分かる形式でグラフ化して表示するようにしている。
【０００８】
しかしながら、この特許文献２に示された燃焼システムでは、各燃焼シーケンスの所要時間は分かるが、各燃焼シーケンスでの電気の消費量や燃料の消費量を把握できるようにはなっていない。
【０００９】
本発明は、このような課題を解決するためになされたもので、その目的とするところは、電力モニタ用の機器やガス流量モニタ用の機器などを設置することなく、簡単にエネルギーの使用量を把握することが可能な燃焼システムを提供することにある。
【課題を解決するための手段】
【００１０】
このような目的を達成するために本発明は、少なくとも点火装置（８）とバーナ（６，７）とを備えた燃焼装置（２０）と、燃焼装置の運転を予め定められた燃焼シーケンスに従って制御する燃焼制御装置（２）とを備えた燃焼システム（１００）において、点火装置の作動状態を示す信号、バーナへの燃料の供給状態を示す信号、バーナへの空気の供給状態を示す信号、バーナの火炎の強さを示す火炎検出信号およびこの火炎検出信号の値から判断される火炎の有無を示す情報を少なくとも含む燃焼制御情報を所定の周期で収集するように構成された燃焼制御情報収集部（２−１）と、燃焼制御情報収集部によって収集された燃焼制御情報を時系列で蓄積する燃焼制御情報蓄積部（２−２）と、燃焼制御情報蓄積部に蓄積されている燃焼制御情報に基づいて燃焼装置の起動から停止に至るまでの各燃焼シーケンスの時間帯を特定するように構成された燃焼シーケンス時間帯特定部（２−３）と、各燃焼シーケンス毎に定められた単位時間当たりの電力の消費量の推定値を単位電力消費量として記憶する単位電力消費量記憶部（２−５）と、各燃焼シーケンス毎に定められた単位時間当たりの燃料の消費量の推定値を単位燃料消費量として記憶する単位燃料消費量記憶部（２−６）と、燃焼シーケンス時間帯特定部によって特定された各燃焼シーケンスの時間帯と単位電力消費量記憶部に記憶されている各燃焼シーケンスの単位電力消費量とに基づいて、燃焼装置の所定の単位期間毎の電力の消費量を算出するように構成された単位期間毎電力消費量算出部（2−７）と、燃焼シーケンス時間帯特定部によって特定された各燃焼シーケンスの時間帯と単位燃料消費量記憶部に記憶されている各燃焼シーケンスの単位燃料消費量とに基づいて、燃焼装置の所定の単位期間毎の燃料の消費量を算出するように構成された単位期間毎燃料消費量算出部（２−８）とを備えることを特徴とする。
【００１１】
本発明において、燃焼シーケンス時間帯特定部は、燃焼制御情報蓄積部に蓄積されている燃焼制御情報に基づいて燃焼装置の起動から停止に至るまでの各燃焼シーケンスの時間帯を特定する。例えば、「スタートチェック」、「プレパージ」、「点火待ち」、「パイロット点火」、「パイロットオンリー」、「メイン点火」、「メイン安定」、「定常燃焼」、「ポストパージ」、「停止」といった各燃焼シーケンスの時間帯を特定する。単位期間毎電力消費量算出部は、燃焼シーケンス時間帯特定部によって特定された各燃焼シーケンスの時間帯と各燃焼シーケンス毎に定められている単位電力消費量（単位時間当たりの電力の消費量の推定値）とに基づいて、燃焼装置の単位期間毎の電力の消費量を算出する。単位期間毎燃料消費量算出部は、燃焼シーケンス時間帯特定部によって特定された各燃焼シーケンスの時間帯と各燃焼シーケンス毎に定められている単位燃料消費量（単位時間当たりの燃料の消費量の推定値）とに基づいて、燃焼装置の所定の単位期間毎の燃料の消費量を算出する。
【００１２】
本発明において、単位期間毎電力消費量算出部での単位期間毎の電力の消費量の算出の基礎となる各燃焼シーケンスの単位電力消費量は、単位時間（例えば、１分）当たりの電力の消費量の推定値として定められている。また、単位期間毎燃料消費量算出部での単位期間毎の燃料の消費量の算出の基礎となる各燃焼シーケンスの単位燃料消費量は、単位時間（例えば、１分）当たりの燃料の消費量の推定値として定められている。このため、電力モニタ用の機器やガス流量モニタ用の機器などを設置することなく、単位期間（例えば、１時間）毎の電力の消費量や燃料の消費量を求めることができ、簡単にエネルギーの使用量を把握することが可能となる。
【００１３】
なお、上記説明では、一例として、発明の構成要素に対応する図面上の構成要素を、括弧を付した参照符号によって示している。
【発明の効果】
【００１４】
以上説明したように、本発明によれば、単位時間当たりの電力の消費量の推定値を単位電力消費量として各燃焼シーケンス毎に定め、単位時間当たりの燃料の消費量の推定値を単位燃料消費量として各燃焼シーケンス毎に定め、燃焼シーケンス時間帯特定部によって特定された各燃焼シーケンスの時間帯と各燃焼シーケンスの単位電力消費量とに基づいて単位期間毎の電力の消費量を算出するようにし、燃焼シーケンス時間帯特定部によって特定された各燃焼シーケンスの時間帯と各燃焼シーケンスの単位燃料消費量とに基づいて単位期間毎の燃料の消費量を算出するようにしたので、電力モニタ用の機器やガス流量モニタ用の機器などを設置することなく、簡単にエネルギーの使用量を把握することが可能となる。
【図面の簡単な説明】
【００１５】
【図１】図１は、本発明の実施の形態に係る燃焼システムの要部を示す図である。
【図２】図２は、メインバーナのみとした燃焼システムの構成を例示する図である。
【図３】図３は、燃焼装置の起動から定常燃焼に至るまでの燃焼シーケンスのタイムチャートである。
【図４】図４は、実施の形態１における燃焼制御装置の要部の機能ブロック図である。
【図５】図５は、実施の形態１における燃焼制御装置の動作を説明するためのフローチャートである。
【図６】図６は、各燃焼シーケンスの時間帯と単位電力消費量（単位時間当たりの電力の消費量の推定値）とを対応づけるテーブルを示す図である。
【図７】図７は、各燃焼シーケンスの時間帯と単位燃料消費量（単位時間当たりの燃料の消費量の推定値）とを対応づけるテーブルを示す図である。
【図８】図８は、単位期間毎の電力の消費量の表示例を示す図である。
【図９】図９は、単位期間毎の燃料の消費量の表示例を示す図である。
【図１０】図１０は、実施の形態２における燃焼制御装置の要部の機能ブロック図である。
【図１１】図１１は、実施の形態２における燃焼制御装置の動作を説明するためのフローチャートである。
【図１２】図１２は、単位期間毎の電力の消費量のコスト（電力コスト）の表示例を示す図である。
【図１３】図１３は、単位期間毎の燃料の消費量のコスト（燃料コスト）の表示例を示す図である。
【図１４】図１４は、単位期間毎の電力の消費量のコスト（電力コスト）と単位期間毎の燃料の消費量のコスト（燃料コスト）とを積層して表示するようにした例を示す図である。
【図１５】図１５は、実施の形態３における燃焼制御装置の要部の機能ブロック図である。
【図１６】図１６は、実施の形態３における燃焼制御装置の動作を説明するためのフローチャートである。
【図１７】図１７は、単位期間毎のエネルギーコストの合計値（合計コスト）の表示例を示す図である。
【図１８】図１８は、インターネットを介して接続された遠隔地の監視装置（遠隔監視装置）に燃焼制御装置で求められた単位期間毎の電力の消費量や単位期間毎の燃料の消費量を送るようにした例を示す図である。
【発明を実施するための形態】
【００１６】
以下、本発明の実施の形態を図面に基づいて詳細に説明する。図１に、本発明の実施の形態に係る燃焼システムの要部を示す。この燃焼システム１００は、燃焼機器１と、燃焼制御装置２と、燃料流路３と、空気流路４とを備えている。
【００１７】
燃焼機器１は、燃焼室５と、この燃焼室５内を加熱するメインバーナ６と、このメインバーナ６を点火するパイロットバーナ７と、このパイロットバーナ７を点火する点火装置（ＩＧ）８と、バーナ（パイロットバーナ７およびメインバーナ６）の火炎の強さを検出する火炎検出器９と、燃焼室５内の温度を検出する温度センサ１０とを備えている。
【００１８】
燃料流路３は、燃焼機器１に燃料を供給するための流路であり、外部から燃料が供給される主流路３ａと、主流路３ａから分岐した第１の流路３ｂおよび第２の流路３ｃとから構成されている。第１の流路３ｂはメインバーナ６に接続され、第２の流路３ｃはパイロットバーナ７に接続されている。また、主流路３ａにはガス圧スイッチ１５が設けられ、第１の流路３ｂには安全遮断弁１１，１２およびダンパ（燃料流量調整用ダンパ）１９が設けられ、第２の流路３ｃには安全遮断弁１３，１４が設けられている。
【００１９】
空気流路４は、一端がブロワ１６に接続され、他端が第１の流路３ｂに接続されている。ブロワ１６から吐出された空気（エアー）は、第１の流路３ｂを介して燃料（ガス）とともにメインバーナ６に供給される。また、空気流路４には、風圧スイッチ（エアーフロースイッチ）１７とダンパ（空気流量調整用ダンパ）１８が設けられている。
【００２０】
この空気流路４において、空気流量調整用ダンパ１８は、制御モータＭによって燃料流量調整用ダンパ１９とリンケージして駆動される。制御モータＭには、ダンパ１８，１９の開度位置が所定の高開度位置へ達したことを検出する高開度位置センサＨＳと、所定の低開度位置へ達したことを検出する低開度位置センサＬＳとが設けられている。
【００２１】
燃焼制御装置２は、ガス圧スイッチ１５からのガス圧信号、風圧スイッチ１７からの空気圧信号、火炎検出器９からの火炎検出信号（バーナの火炎の強さを示す信号）、温度センサ１０からの温度検出信号などを入力とし、安全遮断弁１１〜１４や点火装置８、ブロワ１６、ダンパ１８，１９などに対して制御信号を出力する。これにより、図中その構成要素を１点鎖線で囲んで示す燃焼装置２０の運転が制御される。
【００２２】
なお、燃焼装置２０の種類によっては、メインバーナ６の点火が終わればパイロットバーナ７の火炎を消すタイプ、メインバーナ６の点火後もパイロットバーナ７の火炎を継続するタイプなどがあり、火炎検出器９は、前者のタイプでは、最初にパイロットバーナ７の火炎の強さを検出し、その後、メインバーナ６の火炎の強さを検出する。後者のタイプでは、パイロットバーナ７とメインバーナ６の火炎の強さを合わせて検出する。
【００２３】
本明細書では、パイロットバーナ７もメインバーナ６もバーナと呼び、そして火炎検出器９が検出する火炎をバーナの火炎と呼ぶ。図１は、メインバーナ６の点火後もパイロットバーナ７の火炎を継続するタイプとされており、火炎検出器９はパイロットバーナ７およびメインバーナ６の火炎をバーナの火炎として検出する。
【００２４】
また、この燃焼装置２０では、空気流路４とブロワ１６と空気流量調整用ダンパ１８とで燃焼室５への空気の供給系統１０１が構成され、燃料流路３（３ａ，３ｂ，３ｃ）と安全遮断弁１１〜１４と燃料流量調整用ダンパ１９とで燃焼室５への燃料の供給系統１０２が構成されている。
【００２５】
なお、パイロットバーナを設けずにメインバーナのみとするタイプも存在し、そのタイプでは、図２に示すように、主流路３ａの入口側と出口側とをバイパスするようにして流路（副流路）３ｃが設けられ、主流路３ａと副流路３ｃとの出口側の合流点とバーナ６との間に燃料流量調整用ダンパ１９が設置される。この場合、バーナ６がメインバーナとパイロットバーナとを兼ね、パイロットバーナ７が不要となる。
【００２６】
この燃焼システム１００（図１）において、燃焼装置２０の起動から停止に至るまでの動作順序は、燃焼シーケンスとして定められている。例えば、燃焼装置２０の起動から停止に至るまでの動作順序として「スタートチェック」、「プレパージ」、「点火待ち」、「パイロット点火」、「パイロットオンリー」、「メイン点火」、「メイン安定」、「定常燃焼」、「ポストパージ」、「停止」というように、各燃焼シーケンスが定められている。
【００２７】
図３に、燃焼装置２０の起動から定常燃焼に至るまでの燃焼シーケンスのタイムチャートを示す。燃焼制御装置２は、起動入力があると（図３（ａ）に示すｔ１点）、制御モータＭへ開方向への駆動指令を送り（図３（ｄ）に示すｔ１点）、ブロワ１６からの空気流路４への空気の送風を開始する（図３（ｂ）に示すｔ１点）。これにより、ダンパ１８，１９が開かれ、空気流路４内の圧力が高まる。
【００２８】
そして、空気流路４内の圧力が高まり（燃焼室５への空気の圧力が高まり）、空気流路４内の圧力が所定値に達すると、風圧スイッチ１７がＯＮとなる（図３（ｃ）に示すｔ２点）。このｔ１点からｔ２点までの期間Ｐ１が「スタートチェック」の時間帯である。
【００２９】
燃焼制御装置２は、風圧スイッチ１７がＯＮとなり、かつ高開度位置センサＨＳがダンパ１８，１９の開度位置が高開度位置に達したことを検出すると（図３（ｅ）に示すｔ３点）、この時点を起点としてプレパージ時間Ｓ１の計時を開始する。
【００３０】
燃焼制御装置２は、プレパージ時間Ｓ１の経過後、制御モータＭへ閉方向への駆動指令を送る（図３（ｄ）に示すｔ４点）。これにより、ダンパ１８，１９の開度が閉じられて行く。通常は、このｔ３点からｔ４点までの期間を「プレパージ」の時間帯と呼んでいるが、本実施の形態ではｔ２点からｔ３点までの期間も「プレパージ」の時間帯に含めるものとする。すなわち、本実施の形態では、ｔ２点からｔ４点までの期間Ｐ２を「プレパージ」の時間帯とする。
【００３１】
燃焼制御装置２は、低開度位置センサＬＳがダンパ１８，１９の開度位置が低開度位置に達したことを検出すると（図３（ｆ）に示すｔ５点）、所定の待ち時間Ｓ２の経過後、安全遮断弁（パイロットバルブ）１３，１４を開とし（図３（ｇ）に示すｔ６点）、点火装置（イグニッション）８を作動させ（図３（ｈ）に示すｔ６点）、パイロットバーナ７への点火を行う（図３（ｉ）に示すｔ６点）。このｔ４点からｔ６点までの期間Ｐ３が「点火待ち」の時間帯である。
【００３２】
燃焼制御装置２は、パイロットバーナ７への点火を行うと、パイロット点火時間とパイロットオンリー時間とを合わせた時間Ｓ３の経過を待って、安全遮断弁（メインバルブ）１１，１２を開とし（図３（ｊ）に示すｔ８点）、メインバーナ６への着火を行う（図３（ｋ）に示すｔ８点）。この場合、点火装置８を作動させている期間、すなわち図３（ｈ）に示すｔ６点からｔ７点までの期間Ｐ４が「パイロット点火」の時間帯であり、ｔ７点からｔ８点までの期間Ｐ５が「パイロットオンリー」の時間帯である。
【００３３】
燃焼制御装置２は、メインバーナ６への着火を行うと、メイン着火時間とメイン安定時間とを合わせた時間Ｓ４の経過を待って、ダンパ１８，１９の開度の比例制御を開始し（図３（ｄ）に示すｔ１０点）、定常燃焼へと移行する。このｔ８点からｔ１０点までの期間のうち、ｔ８点からｔ９点までの期間Ｐ６が「メイン点火」の時間帯であり、ｔ９点からｔ１０点までの期間Ｐ７が「メイン安定」の時間帯であり、ｔ１０点以降の期間Ｐ８が「定常燃焼」の時間帯である。
【００３４】
なお、燃焼装置２０の停止時には、「ポストパージ」、「停止」という燃焼シーケンスに従って燃焼の停止が行われる。この「ポストパージ」、「停止」の期間について、図３には示されていないが、「ポストパージ」の時間帯をＰ９、「停止」の時間帯をＰ１０として説明を進める。
【００３５】
本実施の形態では、このような燃焼シーケンスに従う動作を行わせる燃焼制御装置２に、「燃焼制御情報を収集する機能」と、「収集された燃焼制御情報を蓄積する機能」と、「燃焼シーケンスの時間帯を特定する機能」と、「燃焼装置の単位期間毎の電力の消費量を算出する機能」と、「燃焼装置の単位期間毎の燃料の消費量を算出する機能」と、「算出され燃焼装置の単位期間毎の電力の消費量および燃料の消費量を出力する機能」とを設けている。
【００３６】
〔実施の形態１〕
図４に、実施の形態１における燃焼制御装置２の要部の機能ブロック図を示す。この燃焼制御装置２は、プロセッサや記憶装置からなるハードウェアと、これらのハードウェアと協働して各種機能を実現させるプログラムとによって実現される。
【００３７】
この燃焼制御装置２は、本実施の形態特有の機能部として、燃焼制御情報収集部２−１と、燃焼制御情報蓄積部２−２と、燃焼シーケンス時間帯特定部２−３と、燃焼シーケンス時間帯記憶部２−４と、単位電力消費量記憶部２−５と、単位燃料消費量記憶部２−６と、単位期間毎電力消費量算出部２−７と、単位期間毎燃料消費量算出部２−８と、単位期間毎電力消費量記憶部２−９と、単位期間毎燃料消費量記憶部２−１０と、出力部２−１１とを備えている。
【００３８】
なお、図４には、燃焼制御装置２に設けられている本実施の形態特有の機能部だけを抜粋して示している。また、図４において、燃焼装置２０の構成は、図１に示されているので省略している。
【００３９】
以下、図５に示すフローチャートを参照しながら、この燃焼制御装置２の各部の機能について、その動作を交えながら説明する。
【００４０】
この燃焼制御装置２において、燃焼制御情報収集部２−１は、燃焼制御情報を所定の周期（例えば、０.１ｓ単位）で収集する（ステップＳ１０１）。この実施の形態では、燃焼装置２０の運転状態を示す起動入力信号（図３（ａ））、ブロワ１６の作動状態を示すブロワ信号（図３（ｂ））、メインバーナ６への空気の供給状態を示す信号（図３（ｃ））、ダンパ１８，１９の高開度位置への到達を示す高開度位置検出信号（図３（ｅ））、ダンパ１８，１９の低開度位置への到達を示す低開度位置検出信号（図３（ｆ））、パイロットバーナ７への燃料の供給状態を示す信号（図３（ｇ））、点火装置（イグニッション）８の作動状態を示す信号（図３（ｈ））、メインバーナ６への燃料の供給状態を示す信号（図３（ｊ））、火炎検出器９が検出するバーナ（パイロットバーナ７およびメインバーナ６）の火炎の強さを示す火炎検出信号、制御モータＭの開度θなどを燃焼制御情報として、例えば、０.１ｓ単位で収集する。
【００４１】
なお、燃焼制御装置２は、火炎検出器９からの火炎検出信号をフレーム電圧として取得し、このフレーム電圧の値から火炎の有無や着火異常などを判断する。燃焼制御情報収集部２−１が収集する燃焼制御情報には、燃焼制御装置２が判断する火炎の有無を示す情報、不着火を示す情報、断火を示す情報、フレーム電圧なども含まれる。
【００４２】
燃焼制御情報蓄積部２−２には、燃焼制御情報収集部２−１によって収集された燃焼制御情報が時系列で蓄積される（ステップＳ１０２）。燃焼シーケンス時間帯特定部２−３は、燃焼制御情報蓄積部２−２に蓄積されている燃焼制御情報に基づいて燃焼装置２０の起動から停止に至るまでの各燃焼シーケンスの時間帯を特定する（ステップＳ１０３）。
【００４３】
本実施の形態において、燃焼シーケンス時間帯特定部２−３は、「スタートチェック」の時間帯Ｐ１、「プレパージ」の時間帯Ｐ２、「点火待ち」の時間帯Ｐ３、「パイロット点火」の時間帯Ｐ４、「パイロットオンリー」の時間帯Ｐ５、「メイン点火」の時間帯Ｐ６、「メイン安定」の時間帯Ｐ７、「定常燃焼」の時間帯Ｐ８、「ポストパージ」の時間帯Ｐ９、「停止」の時間帯Ｐ１０を特定する。この時間帯Ｐ１〜Ｐ１０は、一定ではなく、燃焼装置２０の運転状況によって変動する。燃焼シーケンス時間帯特定部２−３で特定された各燃焼シーケンスの時間帯は燃焼シーケンス時間帯記憶部２−４に記憶される。
【００４４】
単位電力消費量記憶部２−５には、各燃焼シーケンス毎に定められた単位時間（例えば、１分）当たりの電力の消費量の推定値が単位電力消費量として記憶されている。すなわち、図６にテーブルＴＢ１として示すように、各燃焼シーケンスの時間帯Ｐ１〜Ｐ１０に対応づけて、単位時間当たりの電力の消費量の推定値が単位電力消費量ｗ１〜ｗ１０として記憶されている。ここで、各燃焼シーケンスの単位時間当たりの電力の消費量の推定値は、例えば各燃焼シーケンスの単位時間当たりの電力の消費量の平均値として求められているものとする。
【００４５】
単位燃料消費量記憶部２−６には、各燃焼シーケンス毎に定められた単位時間（例えば、１分）当たりの燃料の消費量の推定値が単位燃料消費量として記憶されている。すなわち、図７にテーブルＴＢ２として示すように、各燃焼シーケンスの時間帯Ｐ１〜Ｐ１０に対応づけて、単位時間当たりの燃料の消費量の推定値が単位燃料消費量ｑ１〜ｑ１０として記憶されている。ここで、各燃焼シーケンスの単位時間当たりの燃料の消費量の推定値は、例えば各燃焼シーケンスの単位時間当たりの燃料の消費量の平均値として求められているものとする。
【００４６】
単位期間毎電力消費量算出部２−７は、燃焼シーケンス時間帯特定部２−３によって特定された各燃焼シーケンスの時間帯Ｐ（Ｐ１〜Ｐ１０）と単位電力消費量記憶部２−５に記憶されている各燃焼シーケンスの単位電力消費量ｗ（ｗ１〜ｗ１０）とに基づいて、燃焼装置２０の所定の単位期間（例えば、１時間）毎の電力の消費量Ｗを算出する（ステップＳ１０４）。
【００４７】
例えば、「スタートチェック」の時間帯Ｐ１の電力の消費量については単位電力消費量ｗ１を用いて、「プレパージ」の時間帯Ｐ２の電力の消費量については単位電力消費量ｗ２を用いて、「点火待ち」の時間帯Ｐ３の電力の消費量については単位電力消費量ｗ３を用いてというようにして、単位期間毎の電力の消費量Ｗを算出する。この単位期間毎電力消費量算出部２−７で算出された単位期間毎の電力の消費量Ｗは単位期間毎電力消費量記憶部２−９に記憶される。
【００４８】
単位期間毎燃料消費量算出部２−８は、燃焼シーケンス時間帯特定部２−３によって特定された各燃焼シーケンスの時間帯Ｐ（Ｐ１〜Ｐ１０）と単位燃料消費量記憶部２−６に記憶されている各燃焼シーケンスの単位燃料消費量ｑ（ｑ１〜ｑ１０）とに基づいて、燃焼装置２０の所定の単位期間（例えば、１時間）毎の燃料の消費量Ｑを算出する（ステップＳ１０５）。
【００４９】
例えば、「パイロット点火」の時間帯Ｐ４の燃料の消費量については単位燃料消費量ｑ４を用いて、「パイロットオンリー」の時間帯Ｐ５の燃料の消費量については単位燃料消費量ｑ５を用いて、「メイン点火」の時間帯Ｐ６の燃料の消費量については単位燃料消費量ｑ６を用いてというようにして、単位期間毎の燃料の消費量Ｑを算出する。この単位期間毎燃料消費量算出部２−８で算出された単位期間毎の燃料の消費量Ｑは単位期間毎燃料消費量記憶部２−１０に記憶される。
【００５０】
出力部２−１１は、単位期間毎電力消費量記憶部２−９に記憶されている単位期間毎の電力の消費量Ｗ、および単位期間毎燃料消費量記憶部２−１０に記憶されている単位期間毎の燃料の消費量Ｑを読み出し、この読み出した単位期間毎の電力の消費量Ｗおよび燃料の消費量Ｑを、燃焼シーケンス時間帯記憶部２−４に記憶されている各燃焼シーケンスの時間帯を示す情報と合わせて監視装置２１に出力する。
【００５１】
監視装置２１は、ディスプレイに監視画面を表示する表示部２１−１を備え、この表示部２１−１が表示する監視画面上に、燃焼制御装置２からの単位期間毎の電力の消費量Ｗおよび燃料の消費量Ｑを、各燃焼シーケンスの時間帯との関係が分かる形式でグラフ化して表示する（ステップＳ１０６）。
【００５２】
図８に単位期間毎の電力の消費量Ｗの表示例を示す。この例では、燃焼装置２０の起動から停止に至るまでの各燃焼シーケンスの時間帯Ｐ１〜Ｐ１０を色分けして示すグラフ（帯グラフ）を＃０とし、単位期間毎の電力の消費量Ｗを示すグラフ（棒グラフ）を＃１とし、このグラフ＃０と＃１とを合わせたグラフを電力消費の監視グラフ（エネルギーの使用量を示すグラフ）Ｇ１として表示するようにしている。
【００５３】
図９に単位期間毎の燃料の消費量Ｑの表示例を示す。この例では、燃焼装置２０の起動から停止に至るまでの各燃焼シーケンスの時間帯Ｐ１〜Ｐ１０を色分けして示すグラフ（帯グラフ）を＃０とし、単位期間毎の燃料の消費量Ｑを示すグラフ（棒グラフ）を＃２とし、このグラフ＃０と＃２とを合わせたグラフを燃料消費の監視グラフ（エネルギーの使用量を示すグラフ）Ｇ２として表示するようにしている。
【００５４】
この燃焼システム１００において、ユーザは、電力消費の監視グラフＧ１や燃料消費の監視グラフＧ２を監視装置２１の画面（監視画面）上に表示させる。これにより、例えば、燃焼装置２０を毎日起動・停止させるものとした場合、毎日の燃焼装置２０の起動から停止させるまでの電力の消費量や燃料の消費量の変化を把握することができ、省エネルギーに役立てることができる。すなわち、どの時点で効率が上がっていて、どの時点で効率が下がっているのかが一目瞭然となり、効率良く燃焼装置２０を運転するようにして、省エネルギーを図ることが可能となる。また、エネルギーの使用量を日毎、月毎など、特定の時間間隔でまとめ、監視することが可能となる。
【００５５】
また、この燃焼システム１００では、各燃焼シーケンスの時間帯と各燃焼シーケンスの単位電力消費量（単位時間当たりの電力の消費量の推定値）とに基づいて単位期間毎の電力の消費量を算出するようにしているので、また、各燃焼シーケンスの時間帯と各燃焼シーケンスの単位燃料消費量（単位時間当たりの燃料の消費量の推定値）とに基づいて単位期間毎の燃料の消費量を算出するようにしているので、電力モニタ用の機器やガス流量モニタ用の機器などを設置する必要がなく、簡単にエネルギーの使用量を把握することが可能となり、高コストとなることが避けられる。
【００５６】
なお、図８に示した電力消費の監視グラフＧ１や図９に示した燃料消費の監視グラフＧ２において、外気の温度や湿度の変化を示すグラフを合わせて表示するなどしてもよい。これにより、電力の消費量や燃料の消費量の変化を、外気の温度や湿度などの変化と関連付けて、把握することが可能となる。
【００５７】
〔実施の形態２〕
図１０に、実施の形態２における燃焼制御装置２の要部の機能ブロック図を示す。同図において、図４と同一符号は図４を参照して説明した構成要素と同一或いは同等の構成要素を示し、その説明は省略する。以下、実施の形態１における燃焼制御装置２（図４）を２Ａとし、実施の形態２における燃焼制御装置２（図１０）を２Ｂとし、両者を区別する。
【００５８】
実施の形態１の燃焼制御装置２Ａでは、単位期間毎電力消費量算出部２−７で算出された単位期間毎の電力の消費量Ｗおよび単位期間毎燃料消費量算出部２−８で算出された単位期間毎の燃料の消費量Ｑを監視装置２１へ送り、監視装置２１の画面上にグラフ化して表示させるようにした。
【００５９】
これに対し、実施の形態２の燃焼制御装置２Ｂでは、単位期間毎電力消費量算出部２−７で算出された単位期間毎の電力の消費量Ｗおよび単位期間毎燃料消費量算出部２−８で算出された単位期間毎の燃料の消費量Ｑをコストに換算し、この換算したコストを監視装置２１へ送り、監視装置２１の画面上にグラフ化して表示させるようにする。
【００６０】
このための構成として、実施の形態２の燃焼制御装置２Ｂでは、単位期間毎電力コスト換算部２−１２と、単位期間毎燃料コスト換算部２−１３と、単位期間毎電力コスト記憶部２−１４と、単位期間毎燃料コスト記憶部２−１５とを設けるようにしている。
【００６１】
図１１に図５に対応するフローチャートを示す。このフローチャートにおいて、ステップＳ２０１〜Ｓ２０５の処理は、図５に示したフローチャートにおけるステップＳ１０１〜Ｓ１０５の処理に対応しており、その処理の内容については説明を省略する。
【００６２】
この燃焼制御装置２Ｂにおいて、単位期間毎電力コスト換算部２−１２は、単位期間毎電力消費量算出部２−７で算出された単位期間毎の電力の消費量Ｗをコストに換算する（ステップＳ２０６）。
【００６３】
この場合、単位期間毎電力コスト換算部２−１２は、単位期間毎電力消費量算出部２−７で算出された単位期間の電力の消費量Ｗにその単位期間における電力の使用料金を掛けて、電力の消費量のコストＣWを算出する。
【００６４】
なお、単位期間における電力の使用料金は、夜間料金が適用される場合もあり、一律ではない。この単位期間毎電力コスト換算部２−１２で換算された単位期間毎の電力の消費量のコストＣWは単位期間毎電力コスト記憶部２−１４に記憶される。
【００６５】
単位期間毎燃料コスト換算部２−１３は、単位期間毎燃料消費量算出部２−８で算出された単位期間毎の燃料の消費量Ｑをコストに換算する（ステップＳ２０７）。
【００６６】
この場合、単位期間毎燃料コスト換算部２−１３は、単位期間毎燃料消費量算出部２−８で算出された単位期間の燃料の消費量Ｑにその単位期間における燃料の使用料金を掛けて、燃料の消費量のコストＣQを算出する。
【００６７】
この単位期間毎燃料コスト換算部２−１３で換算された単位期間毎の燃料の消費量のコストＣQは単位期間毎燃料コスト記憶部２−１５に記憶される。
【００６８】
出力部２−１１は、単位期間毎電力コスト記憶部２−１４に記憶されている単位期間毎の電力の消費量のコストＣW、および単位期間毎燃料コスト記憶部２−１５に記憶されている単位期間毎の燃料の消費量のコストＣQを読み出し、この読み出した単位期間毎の電力の消費量のコストＣWおよび燃料の消費量のコストＣQを、燃焼シーケンス時間帯記憶部２−４に記憶されている各燃焼シーケンスの時間帯を示す情報と合わせて監視装置２１に出力する。
【００６９】
監視装置２１は、表示部２１−１が表示する監視画面上に、燃焼制御装置２からの単位期間毎の電力の消費量のコストＣWおよび燃料の消費量のコストＣQを、各燃焼シーケンスの時間帯との関係が分かる形式でグラフ化して表示する（ステップＳ２０８）。
【００７０】
図１２に単位期間毎の電力の消費量のコストＣWの表示例を示す。この例では、燃焼装置２０の起動から停止に至るまでの各燃焼シーケンスの時間帯Ｐ１〜Ｐ１０を色分けして示すグラフ（帯グラフ）を＃０とし、単位期間毎の電力の消費量のコスト（電力コスト）ＣWを示すグラフ（棒グラフ）を＃３とし、このグラフ＃０と＃３とを合わせたグラフを電力コストの監視グラフ（エネルギーの使用量を示すグラフ）Ｇ３として表示するようにしている。
【００７１】
図１３に単位期間毎の燃料の消費量のコストＣQの表示例を示す。この例では、燃焼装置２０の起動から停止に至るまでの各燃焼シーケンスの時間帯Ｐ１〜Ｐ１０を色分けして示すグラフ（帯グラフ）を＃０とし、単位期間毎の燃料の消費量のコスト（燃料コスト）ＣQを示すグラフ（棒グラフ）を＃４とし、このグラフ＃０と＃４とを合わせたグラフを燃料コストの監視グラフ（エネルギーの使用量を示すグラフ）Ｇ４として表示するようにしている。
【００７２】
なお、図１２，図１３に示した例では、電力コストの監視グラフＧ３と燃料コストの監視グラフＧ４とを２つに分けて表示するようにしているが、図１４に示すように、電力コストを示すグラフ＃３と燃料コストを示すグラフ＃４とをそのトータルコストが分かるように、１つの監視グラフＧ６中に積層して表示するようにしてもよい。
【００７３】
〔実施の形態３〕
図１５に、実施の形態３における燃焼制御装置２の要部の機能ブロック図を示す。同図において、図１０と同一符号は図１０を参照して説明した構成要素と同一或いは同等の構成要素を示し、その説明は省略する。以下、実施の形態１，２における燃焼制御装置２（図４，図１０）と区別するために、実施の形態３における燃焼制御装置２を２Ｃとする。
【００７４】
実施の形態２の燃焼制御装置２Ｂでは、単位期間毎電力コスト換算部２−１２で換算された単位期間毎の電力の消費量のコストＣWおよび単位期間毎燃料コスト換算部２−１３で換算された単位期間毎の燃料の消費量のコストＣQを監視装置２１へ送り、監視装置２１の画面上にグラフ化して表示させるようにした。
【００７５】
これに対し、実施の形態３の燃焼制御装置２Ｃでは、単位期間毎電力コスト換算部２−１２で換算された単位期間毎の電力の消費量のコストＣWと単位期間毎燃料コスト換算部２−１３で換算された単位期間毎の燃料の消費量のコストＣQとを単位期間毎に合計し、この合計したコストを監視装置２１へ送り、監視装置２１の画面上にグラフ化して表示させるようにする。
【００７６】
このための構成として、実施の形態３の燃焼制御装置２Ｃでは、単位期間毎合計エネルギーコスト算出部２−１６と、単位期間毎合計エネルギーコスト記憶部２−１７とを設けるようにしている。
【００７７】
図１６に図１１に対応するフローチャートを示す。このフローチャートにおいて、ステップＳ３０１〜Ｓ３０７の処理は、図１１に示したフローチャートにおけるステップＳ２０１〜Ｓ２０７の処理に対応しており、その処理の内容については説明を省略する。
【００７８】
単位期間毎合計エネルギーコスト算出部２−１６は、単位期間毎電力コスト換算部２−１２で換算された単位期間毎の電力の消費量のコストＣWと、単位期間毎燃料コスト換算部２−１３で換算された単位期間毎の燃料の消費量のコストＣQとを合計して、単位期間毎のエネルギーコストの合計値ＴＣを算出する（ステップＳ３０８）。
【００７９】
この単位期間毎合計エネルギーコスト算出部２−１６で算出された単位期間毎のエネルギーコストの合計値ＴＣは単位期間毎合計エネルギーコスト記憶部２−１７に記憶される。
【００８０】
出力部２−１１は、単位期間毎合計エネルギーコスト記憶部２−１７に記憶されている単位期間毎のエネルギーコストの合計値ＴＣを読み出し、この読み出した単位期間毎のエネルギーコストの合計値ＴＣを、燃焼シーケンス時間帯記憶部２−４に記憶されている各燃焼シーケンスの時間帯を示す情報と合わせて監視装置２１に出力する。
【００８１】
監視装置２１は、表示部２１−１が表示する監視画面上に、燃焼制御装置２からの単位期間毎のエネルギーコストの合計値ＴＣを各燃焼シーケンスの時間帯との関係が分かる形式でグラフ化して表示する（ステップＳ３０９）。
【００８２】
図１７に単位期間毎のエネルギーコストの合計値ＴＣの表示例を示す。この例では、燃焼装置２０の起動から停止に至るまでの各燃焼シーケンスの時間帯Ｐ１〜Ｐ１０を色分けして示すグラフ（帯グラフ）を＃０とし、単位期間毎のエネルギーコストの合計値（合計コスト）ＴＣを示すグラフ（棒グラフ）を＃５とし、このグラフ＃０と＃５とを合わせたグラフをエネルギーコストの合計値の監視グラフ（エネルギーの使用量を示すグラフ）Ｇ５として表示するようにしている。
【００８３】
なお、上述した実施の形態では、各燃焼シーケンスの単位電力消費量や単位燃料消費量を定める際の単位時間を例えば１分とし、単位期間毎の電力消費量や単位期間毎の燃料消費量を求める際の単位期間を例えば１時間としたが、あくまでも例示であり、任意に定めることが可能であることは言うまでもない。
【００８４】
また、上述した実施の形態では、燃焼制御装置２とは別に監視装置２１を設け、この監視装置２１の画面上にエネルギーの使用量を示すグラフを表示させるようにしたが、燃焼制御装置２内に監視画面を表示する表示部を設け、この表示部が表示する監視画面にエネルギーの使用量を示すグラフを表示させるようにしてもよい。
【００８５】
また、図１８に示すように、燃焼制御装置２内に送信部２−１８を設け、この送信部２−１８からインターネット３０を介して、遠隔地の監視装置（遠隔監視装置）２１に単位期間毎の電力の消費量Ｗや単位期間毎の燃料の消費量Ｑを送り、監視装置２１の画面上にグラフ化して表示させるようにしてもよい。
【００８６】
また、監視装置２１において、複数の燃焼装置２０の運転を監視するものとしてもよい。監視装置２１の画面上に複数の燃焼装置２０におけるエネルギーの使用量を示すグラフを表示させることにより、どの燃焼装置２０の運転効率がよく、どの燃焼装置２０の運転効率が悪いかを容易に比較することができる。また、遠方で監視でき、比較することにより、その現場の特色に合わせた対応が可能となり、省エネルギーのための対応が可能となる。
【００８７】
また、例えば、実施の形態１（図４）では、単位期間毎電力消費量記憶部２−９や単位期間毎燃料消費量記憶部２−１０を設け、単位期間毎電力消費量算出部２−７で算出された単位期間毎の電力の消費量Ｗや単位期間毎燃料消費量算出部２−８で算出された単位期間毎の燃料の消費量Ｑを燃焼制御装置２側で記憶させるものとしたが、燃焼制御装置２で算出された単位期間毎の電力の消費量Ｗや単位期間毎の燃料の消費量Ｑを監視装置２１へ送り、監視装置２１側で記憶させるようにしてもよい。実施の形態２や実施の形態３でも同様である。
【００８８】
また、上述した実施の形態１，２，３を選択的に組み合わせるようにしてもよい。すなわち、単位期間毎電力消費量算出部２−７によって算出された単位期間毎の電力の消費量Ｗおよび単位期間毎燃料消費量算出部２−８によって算出された単位期間毎の燃料の消費量Ｑを第１の監視項目とし、単位期間毎電力コスト換算部２−１２によって換算された単位期間毎の電力の消費量のコストＣWおよび単位期間毎燃料コスト換算部２−１３によって換算された単位期間毎の燃料の消費量のコストＣQを第２の監視項目とし、単位期間毎合計エネルギーコスト算出部２−１６によって算出された単位期間毎のエネルギーコストの合計値ＴＣを第３の監視項目とし、この第１，第２および第３の監視項目を選択的に組み合わせて監視装置２１の画面上に表示させるようにしてもよい。
【００８９】
また、上述した実施の形態では、監視装置２１の画面（監視画面）上に燃焼装置２０におけるエネルギーの使用量を示すグラフを表示するようにしたが、監視画面に表示するのではなく、プリンタによって紙面に印刷するようにしてもよい。
【００９０】
また、上述した実施の形態では、燃焼シーケンス時間帯特定部２−３、単位電力消費量記憶部２−５、単位燃料消費量記憶部２−６、単位期間毎電力消費量算出部２−７、単位期間毎燃料消費量算出部２−８などを燃焼制御装置２内に設けるようにしたが、必ずしも燃焼制御装置２内に設けなくてもよく、燃焼制御装置２とは別に診断装置を設け、この診断装置内に同様の機能を設けるなどしてもよい。
【００９１】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００９２】
１…燃焼機器、２…燃焼制御装置、２−１…燃焼制御情報収集部、２−２…燃焼制御情報蓄積部、２−３…燃焼シーケンス時間帯特定部、２−４…燃焼シーケンス時間帯記憶部、２−５…単位電力消費量記憶部、２−６…単位燃料消費量記憶部、２−７…単位期間毎電力消費量算出部、２−８…単位期間毎燃料消費量算出部、２−９…単位期間毎電力消費量記憶部、２−１０…単位期間毎燃料消費量記憶部、２−１１…出力部、２−１２…単位期間毎電力コスト換算部、２−１３…単位期間毎燃料コスト換算部、２−１４…単位期間毎電力コスト記憶部、２−１５…単位期間毎燃料コスト記憶部、２−１６…単位期間毎合計エネルギーコスト算出部、２−１７…単位期間毎合計エネルギーコスト記憶部、６…メインバーナ、７…パイロットバーナ、８…点火装置（イグニッション）、２０…燃焼装置、１００…燃焼システム、Ｇ１…電力消費の監視グラフ、Ｇ２…燃料消費の監視グラフ、Ｇ３…電力コストの監視グラフ、Ｇ４…燃料コストの監視グラフ、Ｇ５…エネルギーコストの合計値の監視グラフ、ＴＢ１，ＴＢ２…テーブル。
【図１】
2019070469.tif 000003
【図２】
2019070469.tif 000004
【図３】
2019070469.tif 000005
【図４】
2019070469.tif 000006
【図５】
2019070469.tif 000007
【図６】
2019070469.tif 000008
【図７】
2019070469.tif 000009
【図８】
2019070469.tif 000010
【図９】
2019070469.tif 000011
【図１０】
2019070469.tif 000012
【図１１】
2019070469.tif 000013
【図１２】
2019070469.tif 000014
【図１３】
2019070469.tif 000015
【図１４】
2019070469.tif 000016
【図１５】
2019070469.tif 000017
【図１６】
2019070469.tif 000018
【図１７】
2019070469.tif 000019
【図１８】
2019070469.tif 000020